(57)【要約】【課題】放送衛星からのパケットデータが受信状況により欠落した場合でも、欠落したパケットデータを取得でき、ひいては、表示等への影響を極力低減する。【解決手段】衛星放送データ受信システム１０のＸＭ衛星受信機１３は、人工衛星１２から放送電波を受信して受信データを出力するサテライト受信部２５およびデコーダ部２６と、受信データを記憶するメモリ２７と、受信データのうち、エラー訂正ができなかった受信データを通信ネットワークを介して外部サーバ１７、２０から取得するエラー処理部２８および外部接続部３０と、取得された受信データで、メモリ２７に記憶されているエラー訂正ができなかった受信データを更新する補正処理部３１と、を備える。【選択図】図１
2007096692.tif 000002
【特許請求の範囲】
【請求項１】
人工衛星から放送電波を受信して受信データを出力する受信データ生成部と、
前記受信データを記憶する記憶部と、
前記受信データのうち、エラー訂正ができなかった受信データを通信ネットワークを介して外部サーバから取得するデータ取得部と、
前記取得された受信データで、前記記憶部に記憶されているエラー訂正ができなかった受信データを更新するデータ更新部と、
を備えたことを特徴とする情報処理装置。
【請求項２】
請求項１記載の情報処理装置において、
前記通信ネットワークは、無線通信端末を介した双方向無線通信ネットワークであることを特徴とする情報処理装置。
【請求項３】
請求項２記載の情報処理装置において、
前記外部サーバは、前記双方向無線通信ネットワークあるいは前記双方向無線通信ネットワークを介して接続されるインターネット上に設けられていることを特徴とする情報処理装置。
【請求項４】
請求項２または請求項３記載の情報処理装置において、
前記無線通信端末は、携帯電話端末として構成されていることを特徴とする情報処理装置。
【請求項５】
請求項１ないし請求項４のいずれかに記載の情報処理装置において、
前記更新後の前記受信データに基づいて外部の表示装置の表示制御を行う表示制御部を備えたことを特徴とする情報処理装置。
【請求項６】
人工衛星から放送電波を受信するデータ受信部と、受信データを記憶する記憶部と、無線通信端末および双方向無線通信ネットワークを介して外部サーバと通信を行うための通信部と、を備えた情報処理装置の制御方法において、
前記データ受信部を介して人工衛星から放送電波を受信して受信データを生成する受信データ生成過程と、
前記受信データを前記記憶部に記憶させるデータ記憶過程と、
前記受信データのうち、エラー訂正ができなかった受信データ前記通信部を介して前記外部サーバから取得するデータ取得過程と、
前記取得された受信データで、前記記憶部に記憶されているエラー訂正ができなかった受信データを更新するデータ更新過程と、
を備えたことを特徴とする情報処理装置の制御方法。
【請求項７】
人工衛星から放送電波を受信するデータ受信部と、受信データを記憶する記憶部と、無線通信端末および双方向無線通信ネットワークを介して外部サーバと通信を行うための通信部と、を備えた情報処理装置をコンピュータにより制御するための制御プログラムにおいて、
前記データ受信部を介して人工衛星から放送電波を受信して受信データを生成させ、
前記受信データを前記記憶部に記憶させ、
前記受信データのうち、エラー訂正ができなかった受信データ前記通信部を介して前記外部サーバから取得させ、
前記取得された受信データで、前記記憶部に記憶されているエラー訂正ができなかった受信データを更新させる、
ことを特徴とする制御プログラム。
【発明の詳細な説明】
【技術分野】
【０００１】
本発明は、情報処理装置、情報処理装置の制御方法および制御プログラムに係り、特に衛星放送からパケットデータを受信して各種表示などを行う情報処理装置、情報処理装置の制御方法および制御プログラムに関する。
【背景技術】
【０００２】
従来より、人工衛星からデータ放送用の電波を受信して、ディスプレイに表示する衛星放送データ受信システムが知られている（例えば、特許文献１参照）。
上記従来の衛星放送データ受信システムにおいては、データ放送用の送信データはパケット通信により行われている。
この結果、データは多数のパケットに分割されて衛星放送データ受信システムに送信されるため、通信回線が占有されることがなくなり、通信回線を効率良く利用することができるようになっていた。
【特許文献１】特開２００４−４０１６５号公報
【発明の開示】
【発明が解決しようとする課題】
【０００３】
上記従来技術においては、放送衛星からのパケットデータの受信は無線で行っているため、受信条件によっては、パケットデータが欠落するおそれがあった。
このような場合に、パケットデータに対応する表示データにおいても欠落が生じ正常な表示が行えなくなってしまうという問題点があった。
そこで、本発明の目的は、放送衛星からのパケットデータが受信状況により欠落した場合でも、欠落したパケットデータを取得でき、ひいては、表示等への影響を極力低減することが可能な情報処理装置、情報処理装置の制御方法および制御プログラムに関する。
【課題を解決するための手段】
【０００４】
上記課題を解決するため、情報処理装置は、人工衛星から放送電波を受信して受信データを出力する受信データ生成部と、前記受信データを記憶する記憶部と、前記受信データのうち、エラー訂正ができなかった受信データを通信ネットワークを介して外部サーバから取得するデータ取得部と、前記取得された受信データで、前記記憶部に記憶されているエラー訂正ができなかった受信データを更新するデータ更新部と、を備えたことを特徴としている。
上記構成によれば、受信データ生成部は、人工衛星から放送電波を受信して受信データを記憶部およびデータ取得部に出力する。
記憶部は、受信データを記憶する。
これと並行してデータ取得部は受信データのうち、エラー訂正ができなかった受信データを通信ネットワークを介して外部サーバから取得し、データ更新部は、取得された受信データで、記憶部に記憶されているエラー訂正ができなかった受信データを更新する。
【０００５】
この場合において、前記通信ネットワークは、無線通信端末を介した双方向無線通信ネットワークであるようにしてもよい。
また、前記外部サーバは、前記双方向無線通信ネットワークあるいは前記双方向無線通信ネットワークを介して接続されるインターネット上に設けられているようにしてもよい。
さらに、前記無線通信端末は、携帯電話端末として構成されているようにしてもよい。
さらにまた、前記更新後の前記受信データに基づいて外部の表示装置の表示制御を行う表示制御部を備えるようにしてもよい。
【０００６】
また、人工衛星から放送電波を受信するデータ受信部と、受信データを記憶する記憶部と、無線通信端末および双方向無線通信ネットワークを介して外部サーバと通信を行うための通信部と、を備えた情報処理装置の制御方法は、前記データ受信部を介して人工衛星から放送電波を受信して受信データを生成する受信データ生成過程と、前記受信データを前記記憶部に記憶させるデータ記憶過程と、前記受信データのうち、エラー訂正ができなかった受信データ前記通信部を介して前記外部サーバから取得するデータ取得過程と、前記取得された受信データで、前記記憶部に記憶されているエラー訂正ができなかった受信データを更新するデータ更新過程と、を備えたことを特徴としている。
【０００７】
また、人工衛星から放送電波を受信するデータ受信部と、受信データを記憶する記憶部と、無線通信端末および双方向無線通信ネットワークを介して外部サーバと通信を行うための通信部と、を備えた情報処理装置をコンピュータにより制御するための制御プログラムは、前記データ受信部を介して人工衛星から放送電波を受信して受信データを生成させ、前記受信データを前記記憶部に記憶させ、前記受信データのうち、エラー訂正ができなかった受信データ前記通信部を介して前記外部サーバから取得させ、前記取得された受信データで、前記記憶部に記憶されているエラー訂正ができなかった受信データを更新させることを特徴としている。
【発明の効果】
【０００８】
本発明によれば、放送衛星からのパケットデータが受信状況により欠落した場合でも、欠落したパケットデータを取得でき、ひいては、表示等への影響を極力低減できる。
【発明を実施するための最良の形態】
【０００９】
次に、本発明の好適な実施の形態について図面を参照して詳細に説明する。
図１は、衛星放送データ受信システムの概要構成ブロック図である。
衛星放送データ受信システム１０は、大別すると、第１アンテナ１１を介して放送衛星１２から放送電波を受信するＸＭ衛星受信機１３と、ＸＭ衛星受信機１３に接続された携帯端末装置１４と、ＸＭ衛星受信機１３の操作を行う操作部１５と、ＸＭ衛星受信機１３が受信した放送電波に含まれる表示用のパケットデータに基づいて表示を行うディスプレイ１６と、放送衛星１２を介して放送を行うとともに、放送内容に対応するパケットデータを携帯端末１４に配信するための配信サーバ１７を有するサテライト放送局１８と、配信サーバ１７とインターネット１９を介して接続され、放送内容に対応するパケットデータの配信を受けて、さらに携帯端末１４に配信するための外部配信サーバ２０と、を備えている。
【００１０】
ＸＭ衛星受信機１３は、第１アンテナ１１を介して放送衛星１１から放送電波を受信し、第１受信データＲ１として出力するサテライト受信部２５と、サテライト受信部２５の出力した第１受信データＲ１および指定された放送受信チャネルに対応するチャネルデータＤCHに基づいてデコードを行ってパケットデータである第２受信データＲ２として出力するデコーダ部２６と、第２受信データを格納するメモリ２７と、第２受信データＲ２に基づいてエラー訂正がしきれなかった場合に、当該エラーにより欠落した第２受信データＲ２（パケットデータ）を特定して当該第２受信データＲ２（パケットデータ）の取得を指示するエラー処理部２８と、エラー処理部２８から第２受信データＲ２（パケットデータ）の取得が指示された場合に、携帯端末装置１４（無線通信端末）および第２アンテナ２９を含む双方向無線通信ネットワークである携帯電話ネットワークを介して、外部の配信サーバ１７、２０から当該第２受信データＲ２に相当するパケットデータを取得すべく制御を行う外部接続部３０と、外部接続部３０を介して欠落した第２受信データＲ２（パケットデータ）の取得が完了した場合に、メモリ２７に記憶されている対応する第２受信データＲ２（パケットデータ）を置き換える補正処理部３１と、を備えて構成されている。
【００１１】
次に動作を説明する。
図２は実施形態の処理フローチャートである。
まず、ＸＭ衛星受信機１３のサテライト受信部２５は、放送衛星１１から放送電波を受信し、第１受信データＲ１をデコーダ部２６に出力する。これによりデコーダ部２６は、入力された第１受信データＲ１および操作部１５を介して指定された放送受信チャネルに対応するチャネルデータＤCHに基づいてデコードを行う（ステップＳ１）。
そして、デコーダ部２６は、パケットデータである第２受信データをエラー処理部２８およびメモリ２７に転送する（ステップＳ２）。
【００１２】
これにより、メモリ２７は、第２受信データＲ２（パケットデータ）をパケット番号に従って記憶することとなる（ステップＳ３）。
この場合において、第２受信データは受信状態によりデコーダ部２６のデコード処理ではエラーが訂正しきれず残っている場合がある。従って、エラー処理部２８に出力され、かつ、メモリ２７に格納された第２受信データＲ２（パケットデータ）はエラーが含まれた状態となっている。この場合において、第２受信データＲ２にエラーが含まれている場合には、一部の第２受信データＲ２が受信できなかった場合も含むものとする。
【００１３】
そこで、エラー処理部２８は、入力された第２受信データＲ２にエラーが含まれているか否かを判別する（ステップＳ４）。
ステップＳ４の判別において、入力された第２受信データＲ２にエラーが含まれていない場合には（ステップＳ４；なし）、ディスプレイは、メモリ２７からパケットデータを表示データとして順番に読み出して、表示を行う（ステップＳ５）。
ステップＳ４の判別において、入力された第２受信データＲ２にエラーが含まれている場合には（ステップＳ４；有り）、エラー処理部２８は、外部接続部３０に対して、第２受信データＲ２（パケットデータ）の取得を指示する。
【００１４】
この結果、外部接続部３０は、携帯端末１４を介して、外部の配信サーバ１７、２０から当該第２受信データＲ２（パケットデータ）を取得すべく携帯端末１４の制御を行い、携帯端末１４および第２アンテナ２９を介して外部の配信サーバ１７、２０から当該第２受信データＲ２（パケットデータ）を取得する（ステップＳ６）。
【００１５】
続いて、エラー処理部２８は、全てのエラーを含む第２受信データＲ２のデータの取得が完了したか否かを判別する（ステップＳ７）。
ステップＳ７の判別において、全てのエラーを含む第２受信データＲ２のデータの取得が終了していない場合には（ステップＳ７；取得未終了）、再び処理をステップＳ６に移行し、外部接続部３０は、携帯端末１４の制御を行い、通信端末を介して外部の配信サーバ１７、２０から当該第２受信データＲ２（パケットデータ）を取得する（ステップＳ６）。
【００１６】
ステップＳ７の判別において、全てのエラーを含む第２受信データＲ２のデータの取得が完了した場合には（ステップＳ７；取得完了）、補正処理部３１は、外部の配信サーバ１７、２０から取得した全ての第２受信データＲ２をメモリ２７に転送し（ステップＳ２）、メモリ２７は、転送された第２受信データＲ２（パケットデータ）をパケット番号に従って更新（上書き）して記憶することとなる（ステップＳ３）。
【００１７】
図３は、メモリの更新（上書き）の説明図である。
図３に示すように、入力された第２受信データＲ２のうち、エラーが含まれている第２受信データＲ２、すなわち、パケットデータＰＤ5にエラーが含まれていた場合には、外部の配信サーバ１７、２０から取得した全ての第２受信データＲ２をメモリ２７に転送し（ステップＳ２）、メモリ２７は、転送された第２受信データＲ２であるパケットデータＰＤNEWをパケット番号に従ってパケットデータＰＤ5を更新（上書き）して記憶することとなる。
【００１８】
この結果、ディスプレイは、メモリ２７からパケットデータを表示データとして順番に読み出して、表示を行う（ステップＳ５）。
以上の説明のように、本実施形態によれば、放送衛星からの放送電波の受信状態が一時的に悪くなり、受信時にエラーが訂正しきれなかったパケットデータあるいは完全に欠落したパケットデータが存在した場合でも、配信サーバ１７、２０側から該当するパケットデータを取得することで、完全なパケットデータ群を得ることができ、正しい表示が行えることとなる。
【００１９】
以上の説明においては、入力された第２受信データＲ２にエラーが含まれている場合には全てのエラーを含む第２受信データＲ２のデータの取得が完了するまで、表示が行われないこととなっていたが、表示に直ちに影響を与えないような場合には、第２受信データＲ２の取得と並行して表示を行うようにすることも可能である。
より具体的には、カーナビの表示を行う場合を例として説明する。
カーナビ画面においては車両の進行方向に沿って表示を行う必要があるため、ＶＲＡＭの記憶領域のうち、表示画面に対応する表示データを格納するＶＲＡＭ（Video RAM）領域の他に、表示画面の周囲の画像に対応する表示データを格納するＶＲＡＭ領域を有している。
【００２０】
図４は、ＶＲＡＭ領域と表示画面の対応説明図である。
図４に示すように、ＶＲＡＭ４０は、表示画面に対応する表示データを格納するＶＲＡＭ領域Ａ１（図中、斜線で示す。）の他に、表示画面の周囲の画像に対応する表示データを格納するＶＲＡＭ領域Ａ２が存在している。
このような場合に、ＶＲＡＭ領域Ａ２に対応する第２受信データＲ２にエラーがある場合、すなわち、表示に直ちに影響を与えないような場合には、第２受信データＲ２の取得と並行してＶＲＡＭ領域Ａ１の表示データに基づいて表示を行うようにすることも可能である。
【００２１】
以上の説明においては、双方向無線通信ネットワークとして、携帯電話端末１４を介した携帯電話ネットワークを利用していたが、無線ＬＡＮを用いるようにすることも可能である。
以上の説明においては、メモリ２７にエラー訂正ができなかったデータを格納し、携帯端末１４を介して取得した受信データで、メモリ２７に記憶されているエラー訂正ができなかった受信データを更新していたが、エラー訂正ができなかったデータをメモリ２７に格納することなく、いずれのデータがエラー訂正できなかったかを記憶しておくにとどめ、対応する受信データを携帯端末１４を介して取得して、メモリ２７に記憶するようにすることも可能である。
【００２２】
以上の説明においては、衛星放送データ受信システムは、配信サーバ１７および外部配信サーバ２０から受信データを取得する構成となっていたが、少なくともいずれか一方から受信データを取得する構成であればよい。
【図面の簡単な説明】
【００２３】
【図１】衛星放送データ受信システムの概要構成ブロック図である。
【図２】実施形態の処理フローチャートである。
【図３】メモリの上書きの説明図である。
【図４】ＶＲＡＭ領域と表示画面の対応説明図である。
【符号の説明】
【００２４】
１０…衛星放送データ受信システム、１１…第１アンテナ、１２…放送衛星、１３…ＸＭ衛星受信機（情報処理装置）、１４…携帯端末装置、１５…操作部、１６…ディスプレイ（表示部）、１７…配信サーバ、１８…サテライト放送局、１９…インターネット、２０…外部配信サーバ、２５…サテライト受信部、２６…デコーダ部、２７…メモリ、２８…エラー処理部、２９…第２アンテナ、３０…外部接続部、３１…補正処理部。
【図１】
2007096692.tif 000003
【図２】
2007096692.tif 000004
【図３】
2007096692.tif 000005
【図４】
2007096692.tif 000006